(57)【要約】【課題】  高度の顔面防護機能・構成の簡潔性・軽量化・良好な使用感・簡単な用法・低コスト・その他を満足させることのできるフェイスマスクを提供する。【解決手段】  ヒトの前額Ｈ１に宛てがって横方向に沿わせるための横長帯状体１１と、ヒトの顔面Ｆを覆うための面状のマスク体２１と、ヒトの頭部Ｈに取り外し可能に装着してその装着状態を保持するための頭部用装着具３１とを備えている。横長帯状体１１とマスク体２１の上縁部２２とが相互に組み付けられてマスク体２１が横長帯状体１１から垂下している。頭部用装着具３１が横長帯状体１１の両端部に連結されてその頭部用装着具３１がヒトの頭部Ｈに対して取り外し可能に装着できるように設けられている。【選択図】図２
2010187880.tif 000002
【特許請求の範囲】
【請求項１】
ヒトの前額に宛てがって横方向に沿わせるための横長帯状体と、ヒトの顔面を覆うための面状のマスク体と、ヒトの頭部に取り外し可能に装着してその装着状態を保持するための頭部用装着具とを備えていること、および、横長帯状体とマスク体との相対関係において、横長帯状体とマスク体の上縁部とが相互に組み付けられてマスク体が横長帯状体から垂下していること、および、横長帯状体と頭部用装着具との相対関係において、頭部用装着具が横長帯状体の両端部に連結されてその頭部用装着具がヒトの頭部に対して取り外し可能に装着できるように設けられていることを特徴とするフェイスマスク。
【請求項２】
横長帯状体とマスク体とが縦折り可能に設けられているとともに、頭部用装着具がマスク体の側縁に沿うように折り畳み自在に設けられている請求項１に記載されたフェイスマスク。
【発明の詳細な説明】
【技術分野】
【０００１】
本発明は、好ましくない物・忌避すべきもの物・有害性のある物・その他について、これらの付着・吸入・衝突などを防止したり回避したりするためのフェイスマスクに関し、とくにヘアーカット処理やスプレー処理などを行う理美容の分野で用いて好適なフェイスマスクに関する。
【背景技術】
【０００２】
顔面からの異物侵入を阻止したり顔面を防護したりするためのフェイスマスクについては、医療用とか作業用とかで知られているように各種の分野で用いられている。なかんずく目・鼻・口など顔面全体を覆うためのフェイスマスクなどは数多く提供されている。
【０００３】
フェイスマスクは、たとえば医療用マスクと溶接作業用マスクとの対比で明らかなように、用途によって構造・材質・機能などが大きく異なるものである。作業用マスクの一つとして提供されている揚げ物対策用マスク（調理作業用マスクの一種）の場合は、透明なマスク体を顔面に装着することで調理鍋から飛散する高熱飛沫（油滴）を遮断できるようにしている。
【０００４】
フェイスマスクで既存のものは、顔面に向けて飛来したり直進したりしてくる有害物・危険物・不快物・その他を遮断し、ヒトの顔面領域を防護するというものがほとんどである。したがって、このようなフェイスマスクは、落下物などを念頭において頭部を保護するようにしたヘルメットとは使用目的が異なるものである。ちなみに下記特許文献１〜２に開示された調理用顔面保護具も、これで顔面を覆うことにより、調理作業時の高熱飛沫に対処できるようにしている。
【先行技術文献】
【特許文献】
【０００５】
【特許文献１】特開平０９−０９４１７６号公報
【特許文献２】特開２００６−３０５２７１号公報
【発明の概要】
【発明が解決しようとする課題】
【０００６】
調理の際に飛び散る高熱油滴を遮断して顔面を保護するというとき、特許文献１〜２の調理用顔面保護具などはこれに十分応えることができるものである。したがって、この種の顔面保護からみた当該文献技術には、とくに不都合がない。
【０００７】
一方、理美容の分野における顔面保護について検討してみると、有害物や危険物が顔面目掛けて飛来してくることは皆無といってよいほどない。ゆえに当該分野の場合、マスクによる顔面保護など全く必要ないかのごとくである。それに当該分野では、美容効果や理容効果などを重視しがちであるため、この種の保護や防護が喫緊の課題になるなことも皆目といってよいほどない。
【０００８】
自明のことであるが、理美容の分野には高熱油滴飛散のような危険な事態はない。けれども不快物の顔面付着という点ではこの分野にも特有の問題がある。その典型例は、頭部上面でのヘアーカットで切り落とされた頭髪屑が前頭部から落下しながら顔面へと降り掛かることである。顔面にはこうした頭髪屑の一部が目・鼻・口やその周辺に付着したりする。不用意に口を開けたり息を深く吸い込んだりすると、頭髪屑が呼吸気管内に侵入する事態にまで発展しかねない。たとえ自身の頭髪屑であっても、顔面への付着物は不快感を催す異物にほかならならないから、被理美容者（客）にとっても理美容師にとっても煩わしいといえる。もちろんヘアーカットの際は、客の顔面に付着した頭髪屑を理美容師などが適時払い落としたり取り除たりする。しかしながら顔面に付着した頭髪屑は概して処理しがたい。とくに客が化粧状態・発汗状態・あぶら性などのときは、顔面に執拗に付着した頭髪屑を取り除くのが難事になる。このほか理美容のためのスプレー作業なども、スプレー剤を体内に吸引するのが望ましくないので、客は一時的に呼吸を止めたり目を閉じたりすることを強いられる。
【０００９】
特許文献１〜２の調理用顔面保護具は、上述の頭髪屑を適切に対処するのが困難なものである。それは顔面への飛散物対策用である当該従来保護具が、頭髪屑の付着防止に対して有効に機能しないからである。そればかりか当該従来保護具では、前額とマスクとの間から侵入した頭髪屑を顔面に滞留させることになるので、理美容分野での使用がかえって不都合を招くこともある。さらに頭部へ噴射されるスプレー剤に対しても、スプレー剤がマスクと前額との隙間などから顔面側に侵入したりするので、当該従来保護具の場合はその遮断効果が十分といえない。
【００１０】
上記の例のように頭部側から顔面へ向けて落下付着したり侵入したりする異物に対しては、新たな防護の機能を備えたマスクの提供が希求される。その場合に技術的に要求されるのは、顔面に対する防護効果（異物付着阻止効果・侵入防止効果など）が高いこと、使用感が良好であること、装着（用法）が簡単であること、構成が簡潔であること、軽量であること、不使用時にコンパクト化できること、安価であることなどである。しかるに現状は、このような要求を満たすことのできる有用で有益なフェイスマスの提供がなされていない。
【００１１】
本発明は上記のような技術課題に課題に鑑み、高度の顔面防護機能・構成の簡潔性・軽量化・良好な使用感・簡単な用法・低コスト・その他を満足させることのできるフェイスマスクを提供しようとするものである。
【課題を解決するための手段】
【００１２】
本発明に係るフェイスマスクは所期の目的を達成するために下記(01)〜(02)の課題解決手段を特徴とする。
(01)本発明に係るフェイスマスクは、ヒトの前額に宛てがって横方向に沿わせるための横長帯状体と、ヒトの顔面を覆うための面状のマスク体と、ヒトの頭部に取り外し可能に装着してその装着状態を保持するための頭部用装着具とを備えていること、および、横長帯状体とマスク体との相対関係において、横長帯状体とマスク体の上縁部とが相互に組み付けられてマスク体が横長帯状体から垂下していること、および、横長帯状体と頭部用装着具との相対関係において、頭部用装着具が横長帯状体の両端部に連結されてその頭部用装着具がヒトの頭部に対して取り外し可能に装着できるように設けられていることを特徴とする。
(02)本発明に係るフェイスマスクは、また、上記(01)に記載されたものにおいて、横長帯状体とマスク体とが縦折り可能に設けられているとともに、頭部用装着具がマスク体の側縁に沿うように折り畳み自在に設けられていることを特徴とする。
【発明の効果】
【００１３】
本発明に係るフェイスマスクは下記(11)〜(20)のような効果を有する。
(11)本発明フェイスマスクを顔面に装着したときは、マスク体が顔面をカバーするようになるとともに、前額に接した横長帯状体が顔面とマスク体との間をブロックするようになる。このような装着状態を呈する本発明フェイスマスクは、前頭部側から顔面沿いに降り落ちてくる落下物に対して十分に対処できることとなる。これについて理美容分野での具体例をあげて説明する。頭部上面などのヘアーカットにより発生して顔面側へ落下する頭髪屑は、それが横長帯状体でブロックされてマスク体の表面を滑落するようになるから、当該頭髪屑が直接顔面に接したりすることが皆目といってよいほどない。したがって顔面への頭髪屑付着がなく、この種の落下物に起因した各種のトラブルが回避されて顔面が防護される。このほか前方から顔面へと飛散してくる異物や頭部上方から顔面へと侵入してくる異物なども、これが顔面に衝突したり顔面側へ回り込んだりするのをマスク体が阻止するので、かかる事態に対しても顔面は防護される。ゆえに本発明フェイスマスクによるときは、顔面上方からの不具合発生物とか顔面前方からの有害物など、この両方に対する高度の顔面防護がはかれることとなる。このうちで顔面上方からの落下物や侵入物に対する当該フェイスマスクの顔面防護効果は、理美容分野での頭髪屑やスプレー剤に対処するための顔面防護手段としてとくに有効なものになるので、この分野において貢献するところが大きい。
(12)マスク装着するときの横長帯状体・マスク体・頭部用装着具についていうと、横長帯状体は前額に宛がわれるもの、マスク体は顔面を覆うもの、頭部用装着具はマスクの装着状態を保持するために側頭部または側頭部と後頭部にわたって圧迫気味に接するものである。これはフェイスマスク装着状態において、頭部上面が全く覆われていないということであるから、理美容の分野での頭部上面のヘアーカット作業やスプレー作業が支障なく行え、しかもそれでいて頭髪屑やスプレー剤に対する顔面の防護がはかれるのであるから、理美容の分野での有用性や有益性がきわめて高いものとなる。
(13)横長帯状体とマスク体との相対関係でいうと、横長帯状体とマスク体の上縁部とが相互に組み付けられてマスク体が横長帯状体から垂下している。このような組み付け構造の場合は、横長帯状体に対するマスク体の取付角度が簡易に設定でき、かつ、これに依存してその取付角度も適切に設定することができる。したがってフェイスマスク装着状態における顔面とマスク体との間隔が適切となり、マスク体の内面に鼻やその他が突き当たるような不具合も起こらないから、良好な使用感を得ることができる。
(14)本発明フェイスマスクは、主な構成部品（構成材料）が横長帯状体・マスク体・頭部用装着具の三つというように少ないものであり、かつ、横長帯状体とマスク体の上縁部とが相互に組み付けられたり、頭部用装着具が横長帯状体の両端部に連結されたりするだけであるから、構成が簡潔で製作も容易に行える。
(15)本発明フェイスマスクは上記のように構成部品が少なく、マスク体の面積も概ね前額下の顔面を覆うサイズであれば足りるものである。したがって本発明フェイスマスクは、スラッチックやその他、既成のマスク材料でこれを作製することにより軽量化もはかることができる。
(16)本発明フェイスマスクは、これを装着したときに横長帯状体が前額に接したり頭部用装着具が側頭部などを圧迫したりするが、マスク体の場合は顔面との遊離状態においてその顔面を覆うものである。これはマスク装着状態のときの顔面接触部がきわめて少なく、ヘアーバンドを装着するぐらいの感覚であるから使い心地がよく、しかも当該フェイスマスクが軽量であることが使用感をさらに良好なものにする。また、フェイスマスク装着状態においてマスク体が顔面前方へ傾斜して垂下するものの場合は、顔面とマスク体との間に末広がり状態の空間が生じ、この末広がり空間が適度の開放感を醸し出すから、フェイスマスク装着状態における顔面閉塞感も緩和される。
(17)本発明フェイスマスクは、横長帯状体を前額に宛ててマスク体で顔面を覆い、この状態を頭部用装着具で保持するだけであるから、用法が簡単である。
(18)本発明フェイスマスクは、上記のように少数部品で構成の簡潔なものであるから製作難易度も低いものになり、総じて低コストを実現することができる。
(19)本発明フェイスマスクにおいて、マスク体が縦折り可能に設けられていて頭部用装着具がマスク体の側縁に沿うように折り畳み自在に設けられている場合は、不使用時においてこれを嵩張ることなくコンパクトに折り畳むことができる。
(20)本発明フェイスマスクにおけるマスク体は、全体が透明、全体が不透明、一部が透明で残部が不透明というように、これらの態様を選択的に採用することができる。これは目視が要求される場合に「透明」、顔面を隠すことが要求される場合に「不透明」、顔面の一部を隠しながら目視可能にする場合に「一部透明で残部不透明」のようにすればよいのである。かかる選択が簡単に行えることにより、フェイスマスクとして種々の要求を満たすことができ、商品形態上もバリエーションに飛んだ対応がとれるようになる。
【図面の簡単な説明】
【００１４】
【図１】本発明フェイスマスクの一実施形態を示した正面図である。
【図２】図１のフェイスマスクの側面図である。
【図３】図１のフェイスマスクの平面図である。
【図４】図１のフェイスマスクについて、横長帯状体とマスク体との組付構造を示した断面図である。
【図５】図１のフェイスマスクについて、横長帯状体と頭部用装着具との連結構造を示した断面図である。
【図６】本発明フェイスマスクの他の実施形態を示した正面図である。
【図７】図６のフェイスマスクの他の実施形態を示した部分正面図である。
【図８】図６のフェイスマスクの部分平面図である。
【図９】図７のＡ−Ａ線に沿う縦断面図である。
【図１０】図７のＢ−Ｂ線に沿う縦断面図である。
【発明を実施するための形態】
【００１５】
本発明に係るフェイスマスクの実施形態について、添付の図面を参照して説明する。
【００１６】
図１〜図３に例示された本発明フェイスマスクの実施形態おいて、１１は横長帯状体、２１はマスク体、３１は頭部用装着具をそれぞれ示す。
【００１７】
横長帯状体１１はヒトの前額に宛てがって横方向に沿わせるためのものであり、かつ、後述の２１はマスク体２１を組付保持したり、後述の頭部用装着具３１を連結保持したりするためのものである。横長帯状体１１の断面形状は、円形・半円形・楕円形・多角形・異形などのいずれでもよいが、その内面（ヒトの前額に接する面）はフラットであることが望ましい。横長帯状体１１は、素材・材料・構造などの点からみて単一のものからなる場合と複数のものからなる場合とがある。横長帯状体１１としては、ヒトの体表面（顔面など）に良好な触感で接触するものが望ましく、それも体表面に対して密接するものが望ましい。横長帯状体１１については、また、弾力性・バネ性・可撓性・伸縮性のうちの一つ以上の物性を有していることが望ましい。一例として図１〜図３に示された横長帯状体１１は、横長形状をした基材１２の内側面に内張り材（裏張り材）１３が貼り付けられたものである。この場合の基材１２は単一の材料による構造または複数の材料による構造のいずれかである。横長帯状体１１が複数の材料からなる場合は、基材１２を内部に埋め込む基材埋設構造や、基材１２を中間に介在させる基材サンドイッチ構造も含まれる。図示された基材１２の場合は単一の材料による構造のものが採用されている。基材１２は中空体であっても非中空体（充実体）であってもよい。基材１２の断面形状も、また、任意でよいものである。それは断面円形・断面半円形・断面楕円形・断面多角形・断面板状・断面溝状（コ字形・Ｕ字形・Ｖ字形・半円溝形など）・断面Ｌ字形・断面Ｚ字形のうちのいずれかである。上記図示例の場合は、一例して断面Ｕ字形（断面逆Ｕ字形）が採用されている。基材１２の材料としては、ゴム・プラスチック（ＦＲＰも含む）・金属などのうちから適当なものが選択される。その具体的一例として、高強度で可撓性のある硬質プラスチックが基材１２として採用される。他の一例として、基材埋設構造の横長帯状体１１では、バネ性を有する基材１２がプラスチック製の被覆材で被覆されるようになる。一方で内張り材１３も、単一の材料によるものであったり、複数の材料によるものであったりする。複数の材料からなる内張り材１３については積層構造のものも含まれる。図示の内張り材１３は内面に接着層（粘着層）を有する横長のテープ状のものであり、その接着層を介して基材１２の内面に張り付けられている。内張り材１３の材料に関する具体的一例として、弾力性のあるシリコーンゴムまたはシリコーン樹脂が採用される。さらに、基材サンドイッチ構造からなる横長帯状体１１の場合は、基材１２の内面に内張り材１３が設けられるとともに基材１２の表面に外張り材（表張り材）が設けられる。外張り材に関しては、後の説明で符号１７を付されて出てくる。この外張り材１７の材料・材質・構造などは内張り材１３で述べたものと同じでよい。上記以外の例で、横長帯状体１１が基材１２のみで構成される場合は、基材１２がすなわち横長帯状体１１ということになる。
【００１８】
図示例の横長帯状体１１は、正面からみた場合に緩慢な山なりのアーチ形（略円弧形）に湾曲しており、平面からみた場合に弓形（略円弧形）に湾曲しているものである。したがって横長帯状体１１をヒトの前額Ｈ１に宛てがったときは、横長帯状体１１の内面が前額Ｈ１に密接するだけでなく、蟀谷（こめかみ）側にまで回り込んだ横長帯状体１１の両端部の高さが、両耳Ｙのレベル（耳介の上側付根部）にほぼ合致するようになる。
【００１９】
横長帯状体１１に関する事項のうちで、その横長方向と交差する方向の断面形状（縦断面形状）については、ヒトの前額Ｈ１に宛てがって横方向に沿わせることができるものであるかぎり、前述した円形・半円形・楕円形・多角形・異形などのうちの任意形状が採用される。図示の実施形態では一例として、横長帯状体１１の縦断面形状として上端部に丸みを付した断面三角形が採用されている。このような形状は、上端部に丸みを付した断面四角形（断面台形）や断面異形のようにもいうことができる。この例のような横長帯状体１１は、一例として、断面逆Ｕ字形をした基材１２の内面に断面略三角形の内張り材１３を貼り付けることで構成されるものである。横長帯状体１１の下面であってその両端部にわたる領域には、横長帯状体１１の内部に向けてスリット状に凹んだ嵌め込み溝１４がある。かかる嵌め込み溝１４には、後述のマスク体２１が嵌め込まれる。図４〜図５を参照して明らかなように、横長帯状体１１の両端部には、頭部用装着具３１のヒンジ片３２を折り畳み自在に連結するためのヒンジ溝１５と、後述のヒンジ軸３４を差し込むための軸孔１６とが形成されている。そのうちで、ヒンジ溝１５は横長帯状体１１の両端部を溝形または二股状にすることで形成されており、軸孔１６は横長帯状体１１の両端部をその内外面にわたって貫通する孔により形成されている。この場合における嵌め込み溝１４やヒンジ溝１５などは、とくにこれらを形成しなくても、断面逆Ｕ字形の基材１２が溝形の内部形状を備えているので、その内部形状を嵌め込み溝１４やヒンジ溝１５として用いればよいこととなる。ただし溝の姿勢については、嵌め込み溝１４が傾斜状でヒンジ溝１５が略垂直状であるのがよい。したがって基材１２の作成時、捻り状態を得るための加工を施して基材１２の両端部に少し捻りをかけ、傾斜状の嵌め込み溝１４に対してヒンジ溝１５を略垂直状にするのがよい。基材１２が嵌め込み溝１４やヒンジ溝１５を有するものであるとき、両溝１２・１４の境界部分には仕切りがあってもなくても構わない。図示したものの設計変更例として、横長帯状体１１の基材１２に溝形の内部形状がないときや横長帯状体１１に基材１２そのものがないときでも、もちろん横長帯状体１１にはこのような嵌め込み溝１４やヒンジ溝１５が形成されるものである。
【００２０】
マスク体２１はヒトの顔面を覆うためのもので広い面状をしている。マスク体２１で顔面領域をどの程度覆うのかというと、それは前額Ｈ１以下の部分である。具体的には前額Ｈ１以下の領域であって目Ｉ・鼻Ｎ・口Ｍなどを覆うことのできる広さを有していることが望ましい。マスク体２１の広さについて、それが上記具体例を若干下回るものであっても構わないし、逆に上記具体例を上回る広さであっても構わない。したがってヒトの顔面Ｆを基準にした場合のマスク体２１は、上下方向（高さ方向や縦方向ともいう）に関する寸法が「前額Ｃから上唇までのもの」ないし「前額Ｈ１から顎Ｃのやや下までのもの」である。マスク体２１の左右方向（幅方向や横方向ともいう）に関する寸法は、「左右の両目尻に達するもの」ないし「左右の両耳に達するもの」である。ヒトの顔面部位に着目したこのマスク体２１の大きさの目安は、相対的に寸法の大きい成人用と相対的に寸法の小さい子供用とで共通する。マスク体２１は、一例として全部が透明のものからなり、他の一例として全部が不透明のものからなり、さらに他の一例として、一部が透明なものからなるとともに残部が不透明なものからなる。この場合の透明は無色透明でも有色透明でもよい。マスク体２１の材質については、硬いもの・柔らかいもの・弾性のあるもの・剛性のあるもの・可塑性のものなどのうちから、適当な物性を有するものが採用される。マスク体２１を全体的にみた場合の形状は、単層または複層のフィルム状・単層または複層のシート状・単層または複層の板状（とくに薄板状）のいずれかである。マスク体２１用の構成材料として採用できるのは、プラスチック・ゴム・紙（薄紙や厚紙も含む）・布地・編地・木・金属（金属ホイルも含む）・ガラス等々である。これらの材料はマスク体２１を作製する場合に単体で用いられたり複合体の態様で用いられたりする。ちなみに全部が透明体からなるマスク体２１の構成材料としてはプラスチックおよび／またはガラスが採用され、全部が不透明体からなるマスク体２１の構成材料としては上述した各材料のうちの一つまたは二つ以上が採用される。この後者の場合においてマスク体２１が透明材料と不透明材料との複合体からなるとき、不透明材料が透明材料で全面的に被覆されていることになる。この場合の不透明材料には、不透明フィルム・不透明シート・不透明塗装膜などが含まれるものである。さらに一部が透明体で残部が不透明体からなるマスク体２１の構成材料としては、その一部がプラスチックおよび／またはガラスなどの透明材料のみからなり、残部が不透明材料のみかまたは透明材料と不透明材料との複合体からなる。
【００２１】
マスク体２１は典型例において全部が透明体からなるものである。この典型例における透明マスク体２１は、周知の透明プラスチックに属するところのアクリル系・ポリアミド系・その他の合成樹脂系などからなる。かかる透明マスク体２１について、その表面の全域および／または裏面の全域に不透明フィルム・不透明シートなどの薄い不透明被覆材を貼り付けた場合は、これが不透明マスク体２１になる。同じく、透明マスク体２１の表面の一部領域および／または裏面の一部領域に上記不透明被覆材を貼り付けた場合は、これが一部透明で残部不透明のマスク体２１になる。さらに、この際の不透明被覆材の貼付面に接着と剥離の可能な接着層（粘着層）が形成されているときは、不透明被覆材を透明マスク体２１に貼り付けることで当該マスク体２１の一部領域や全域を不透明にすることができるとともに、貼り付けた不透明被覆材を剥ぎ取ることで透明マスク体２１に戻すことができる。
【００２２】
マスク体２１には、たとえば息でマスク内面が曇るのを防止するため、通気孔による通気部２３が形成されることがある。しかしこれは不可欠の要件でない。マスク体２１にこのような通気部２３が設けられる部位は、マスク装着状態におけるマスク体２１の鼻Ｎや口Ｍの近くである。けれどもこれは、鼻Ｎの下や口Ｍ（唇）の上に重なるのを回避するため、鼻Ｎの両脇とか口Ｍの両脇など、頬Ｃｈに該当する部位に設けられるのが望ましい。通気部２３は、たとえば、幅１ｍｍ前後の微細なスリットおよび／または直径１ｍｍ前後の小孔など、この種の小開口部を一定領域に集合させることで形成されるものである。スリットからなる小開口部の場合は５〜１５個ぐらいの範囲内でそれを隣接集合させればよく、小孔からなる小開口部の場合は５〜２５個ぐらいの範囲内でそれを隣接集合させればよい。図示例の場合は、隣接集合状態のスリットからなる二つの通気部２３が左右対称をなしてマスク体２１に形成されている。
【００２３】
マスク体２１の形状について、これは大きさ（広さ）・材質・その他の制約を受けることもあるが、基本的には任意の形状でよいものである。図示例の場合でいうと、マスク体２１は平面からみて弓形（略円弧形）に湾曲しており、マスク体２１の上縁部は正面からみて緩慢なアーチ形（略円弧形）に湾曲している。さらに、マスク体２１の下縁部はヒトの顎のラインに沿う略円弧形をしており、マスク体２１の両側部はマスク体下縁部のほぼ両端から直状または傾斜状に立ち上がっている。この場合におけるマスク体２１の上縁部２２の曲げ形状は、上述した横長帯状体１１の曲げ形状とほぼ同じであり、かつ、そのマスク体２１の上縁部２２が横長帯状体１１の嵌め込み溝１４に対して脱着自在に対応するものである。
【００２４】
頭部用装着具３１は、ヒトの頭部Ｈに取り外し可能に装着してその装着状態を保持するためのものであり、かつ、上述の横長帯状体１１に連結されるものでもある。頭部用装着具３１は実施形態の自由度が大きい。たとえば頭部用装着具３１の形状構造は、線状・紐状・帯状（ベルト状・バンド状などを含む）・棒状のいずれであってもよいものである。線状・帯状・帯状などの頭部用装着具３１として採用できるものには、伸縮性のあるものと伸縮性のないものとがある。線状・帯状・帯状などの頭部用装着具３１は、プラスチック（ＦＲＰも含む）・ゴム・紙・布地・編地などのうちの単体または複合体からなる。棒状の頭部用装着具３１は、その長さ方向と直交する方向の断面形状が断面円形・断面多角形・断面異形のいずれかである。棒状の頭部用装着具３１は材質面や材料面からみて、既述の横長帯状体１１と共通するところが多い。たとえば素材・材料・構造などの点からみて、棒状の頭部用装着具３１は単一のものからなる場合と複数のものからなる場合とがある。さらに棒状の頭部用装着具３１も、ヒトの体表面（側頭部など）に良好な触感で接触するものがよく、体表面に密接するものがよい。棒状の頭部用装着具３１については、また、弾力性・バネ性・可撓性・伸縮性のうちの一つ以上の物性を有していることが望ましいといえる。頭部用装着具３１の一例は前後方向に長い棒状ないし帯状（以下棒状等という）のものである。この場合の頭部用装着具３１は、単一の材料による構造物または複数の材料による構造物のいずれかである。複数の材料による構造物には心材埋設構造物も含まれる。その場合の心材はバネ性を有するものが望ましい。一方、棒状等の頭部用装着具３１の材料としては、ゴム・プラスチック（ＦＲＰも含む）・金属などうちから適当なものが選択される。棒状等の頭部用装着具３１については、その内面に内張り材が貼り付けられたり、その外面に外張り材が貼り付けられたりすることもある。この場合の内張り材や外張り材については、前述した内張り材１３・外張り材１７と実質的に同一かそれに準じたものが用いられる。棒状等の頭部用装着具３１は所定の装着機能を有するかぎり任意形状でよいが、側面からみたときの形状や平面（上面）からみたときの形状で代表的なものはつぎのようになる。まず、側面からみたときの形状についていうと、これは全長にわたってほぼ直線状であったり、または後端部が上向きに曲がっていたり、さらには後端部が下向きに曲がっていたりするものである。つぎに、平面からみたときの形状についていうと、これは先端部（前端部）から後端部にわたって内向きに湾曲していたり、または前後の中間部から後端部にわたって内向きに湾曲していたり、後端部がその他部に対して内向きに湾曲していたりするものである。その一例として図１〜図３に示された棒状の頭部用装着具３１は、側面からみたときの形状がほぼ直状であって平面からみたときの形状が緩慢な湾曲状である。
【００２５】
図１〜図３に示された棒状の頭部用装着具３１は、左右対称をなす二本で一対（一組）をなすものである。頭部用装着具３１の前端部（先端部）側には、図４のごとく、横長帯状体１１のヒンジ溝１５に対して回転可能に嵌め込こまれるヒンジ片３２が設けられており、そのヒンジ片３２にはヒンジ軸３４を差し込むための軸孔３３が形成されている。
【００２６】
上述の横長帯状体１１とマスク体２１と頭部用装着具３１とは、図１〜図５を参照してつぎのように組み立てられている。横長帯状体１１とマスク体２１については、マスク体２１の上縁部２２が横長帯状体１１の嵌め込み溝１４内に嵌め込まれて両者１１・２１が組み合わされている。この場合において、上縁部２２の厚みが嵌め込み溝１４の溝幅を上回るものであるときは、締まり嵌め（力嵌め）効果で上縁部２２が嵌め込み溝１４内に保持される。かかる嵌め込み態様のとき、締まり嵌め効果（嵌め込み溝１４の保持力）を上回る力をマスク体２１に掛けることで、そのマスク体２１を嵌め込み溝１４から抜き取ることができるから、両者１１・２１の分解やマスク体２１の交換などを想定した場合に便利である。これに対して、マスク体２１を抜けないように嵌め込み溝１４内に固定するときは、マスク体２１を嵌め込み溝１４内に接着するとか、または、マスク体２１の上縁部２２を横長帯状体１１の上縁部にビス止めするなど、周知の固定措置を講じればよい。横長帯状体１１と頭部用装着具３１については、横長帯状体１１の軸孔１６と頭部用装着具３１の軸孔３３とが互いに一致するように頭部用装着具３１のヒンジ片３２が横長帯状体１１のヒンジ溝１５内に嵌め込まれるとともに該各軸孔１６・３３を貫通するようにヒンジ軸３４が差し込まれて両者１１・３１が組み立てられている。一例としてヒンジ軸３４がリベット型のものであるときは、各軸孔１６・３３を貫通したヒンジ軸３４の端部がかしめられて上記のヒンジ組み立て状態が保持される。他の一例としてヒンジ軸３４がボルト型のものであるときは、各軸孔１６・３３を貫通したヒンジ軸３４の端部に二重ナットが施されて上記のヒンジ組み立て状態が保持される。かくて組み立てられた二本の頭部用装着具３１は、マスク不使用時においてマスク体２１の両側縁に沿うように折り畳まれるとともに、マスク使用時において横長帯状体１１の両端部を延長する方向に起こし出されるものである。
【００２７】
本発明に係るフェイスマスクは、一例として図示のような実施形態からなる。このようなフェイスマスクは、図１〜図３で明らかなように、通常のメガネを掛けるのと同じ要領でヒトの顔面Ｆに簡単に装着することができる。以下その装着例について具体的に説明する。はじめは全体について、二本の頭部用装着具３１を把持してマスク体２１の内面がヒトの顔面Ｆと対面するように構える。つぎに、二本の頭部用装着具３１をヒトの両耳Ｙに掛ける要領でこれらをヒトの側頭部Ｈ２に沿って後方スライドさせ、全体を同方向へ移動させる。このあとは、横長帯状体１１の内面がヒトの前額Ｈ１に接するまで全体を後方スライドさせてマスク体２１をヒトの顔面Ｆに近接させる。これでヒトの顔面Ｆがマスク体２１で覆われることとなる。このフェイスマスク装着状態は、横長帯状体１１の内面がヒトの前額Ｈ１に当接した状態で、二本の頭部用装着具３１がヒトの側頭部Ｈ２を挟み付けるように圧迫するので安定に保持される。したがって通常の場合、これを意図的に外す力が作用しないかぎり、当該フェイスマスクの装着状態が保持されることとなる。
【００２８】
上記のようにしてヒトが本発明フェイスマスクを顔面Ｆに装着したときは、顔面Ｆがマスク体２１でカバーされ、かつ、顔面Ｆとマスク体２１との間が横長帯状体１１でブロックされる。一例として、理美容でのヘアーカット作業においてこのようなマスク装着状態にすると、ヘアーカットにともなって発生した頭髪屑などは、頭頂部Ｈ３から顔面Ｆ側へ至るにしても、それが横長帯状体１１でブロックされてマスク体２１の表面を滑落し床下などに落下するから、直接顔面に接したり付着したりすることがない。また、前方から顔面へと飛散してくる異物などに対しても、これとの顔面衝突をマスク体２１が防止する。このほか、ヒトの頭髪に向けて噴射されるスプレー剤が顔面Ｆ側へ波及するという事態に対しても、主たるマスク体２１と従たる横長帯状体１１とが協働してこの事態を阻止するから、この種のスプレー時に口Ｍを閉じて息を止めたり目Ｉを閉じたりするという煩わしさが解消される。
【００２９】
本発明に係るフェイスマスクについては、ヒトの顔面Ｆとの関係でつぎのようなことがいえる。図１を参照して、ヒトの顔面Ｆでは前額Ｈ１の中央部（前額中央部ＨＣ）や鼻Ｎの先端部（鼻尖部ＮＴ）が顔面正中線ＦＬ上にある。さらに本発明フェイスマスクの左右の線対称軸線（縦方向の中心線）をマスク正中線ＭＬとした場合は、横長帯状体１１の内面中心部（上下左右の中心部）ＳＣがマスク正中線ＭＬ上にくる。このような本発明フェイスマスクをヒトの顔面Ｆに装着したときは、図１の正面においてマスク正中線ＭＬが顔面正中線ＦＬ上に重なるようになる。これを図２の側面からみた場合、前額中央部ＨＣと鼻尖部ＮＴとを結ぶ鼻筋線Ｌ（顔面正中線ＦＬの一部）とマスク正中線ＭＬとの間にマスク傾斜角θの介在していることがわかる。このマスク傾斜角θは顔面Ｆに対するマスク体２１の傾斜状態の目安になるものである。ちなみにいうと、マスク傾斜角θが７０°前後にもなると、これは帽子の庇（鍔）のようになってしまうのでフェイスマスクとはいいがたいものになる。また、マスク傾斜角θが０°を下回るマイナス値（逆勾配）になると、マスク体２１の内面が鼻尖部ＮＴと接触する事態を生じる状態になるという不具合が生じる。それに対しマスク傾斜角θが０°のものは、マスク体２１の内面におけるマスク正中線ＭＬが鼻筋線Ｌと平行状態になるだけあるので上記のような支障がないし、０°を上回るマスク傾斜角θでもそのような支障がない。通常、マスク傾斜角θは０〜２０°の範囲内にある。より望ましいマスク傾斜角θは０〜１５°であり、とくにスプレー剤対策用などにも適用するものの場合は傾斜角θが０〜１０°のように小さいのがよい。したがって典型例におけるマスク体２１は、このような事項を考慮して、顔面装着状態での内面の傾きが上記マスク傾斜角θの範囲内に収まるように横長帯状体１１に取り付けられている。他方、横長帯状体１１の内面の傾きは原則任意であるが、その一例は傾斜なし（垂直面）であり、他の一例は、上記の範囲のマスク傾斜角θになるように設けられたマスク体２１の内面と同じである。この後者のより具体的な例について、これを鼻筋線Ｌとの関係でいうと、横長帯状体１１の内面の傾きは鼻筋線Ｌの傾きと同じになる。
【００３０】
ヒトの顔面Ｆを覆うためのマスク体２１は、たとえば前述したように、前額Ｈ１以下の領域を覆うものである。その場合に覆われるのは少なくとも目Ｉ・鼻Ｎ・口Ｍである。こうした場合のマスク体２１の広さ（大きさ）の各例が図２に示されている。図２の実線で示すマスク体２１は標準的な面積を有するものである。この例のものは、顔面Ｆの上下方向に関して前額Ｈ１から顎Ｃの一部（唇の少し下ぐらい）までを覆い、かつ、顔面Ｆの幅方向に関して左右の蟀谷ぐらいまでを覆うことのできる大きさを有している。図２の一点鎖線で示すマスク体２１は同図実線のものよりも小型化されている。この例のものは、顔面Ｆの上下方向に関して前額Ｈ１から上唇ぐらいまでを覆い、かつ、顔面Ｆの幅方向に関して左右の蟀谷ぐらいまでを覆うことのできる大きさを有している。図２の二点鎖線で示すマスク体２１は同図実線のものよりも大型化されている。この例のものは、顔面Ｆの上下方向に関して前額Ｈ１から顎の下ぐらいまでを覆い、かつ、顔面Ｆの幅方向に関して両耳に達するところぐらいまでを覆うことのできる大きさを有している。自明のとおり、横長帯状体１１や頭部用装着具３１の寸法とくに長さは、マスク体２１の大きさに対応して変更されるものである。また、横長帯状体１１と頭部用装着具３１との連結部であるヒンジ（ヒンジ溝１５・ヒンジ片３２を参照）の位置も、マスク体２１の大きさに応じて変わることとなる。
【００３１】
本発明フェイスマスクについては、これが折り畳み自在に設けられることもある。その場合の横長帯状体１１やマスク体２１は、図６〜図９の一例を参照してつぎのようなものである。
【００３２】
図６〜図１０の実施形態において、マスク体２１は左右対称をなす二枚（一対）のマスク部材２１ａからなり、それぞれのマスク部材２１ａが互いに隣接して横長帯状体１１に取り付けられている。この実施形態でマスク体２１を構成するところの一対のマスク部材２１ａは、既述のマスク体２１をマスク正中線ＭＬのところで分割したものと同じような形状をしている。図６で明らかなように、両マスク部材２１ａの相対的な隣接部に該当する内側部には、両マスク部材２１ａの展開状態において当該両マスク部材相互に重なりをもたせるための帯状片２１ｂが一体形成されることがある。この種の帯状片２１ｂを設ける場合において、両帯状片２１ｂのうちのいずれか一方が省略されることもある。横長帯状体１１は既述の基材埋設構造や基材サンドイッチ構造など適当なものでよく、その一例として、バネ性を有する基材１２の内外両面に内張り材１３や外張り材１７が貼り付けられた基材サンドイッチ構造が採用される。この例での横長帯状体１１についてさらにいうと、内張り材１３は図８のように横長帯状体１１の中央部に該当する箇所が凹んでおり、外張り材１７は図８のように横長帯状体１１の中央部において左右に切り離されて分離している。内張り材１３や外張り材１７におけるこの種の凹みや切り離しについては、内張り材１３と外張り材１７とでこれらを逆にしたり、または、両方を凹みにしたり、あるいは、両方を切り離しにしたりしてもよい。バネ性を有する基材１２はその中央部をヒンジのような屈伸部としているものである。この実施形態で屈伸自在なバネ性を有する基材１２は、その中央部をヒンジ効果のある屈伸部１２ａとしているものである。したがって基材１２は屈伸部１２ａを介してＵ字形のような二つ折り状態にしたりそれを展開したりすることができるものである。さらにいうと、基材１２は、屈伸部１２ａによる二つ折り状態を常態としていて、これを展開するときにバネの力に抗してＵ字形を開脚状に開いたりするものである。そのほか二本の頭部用装着具３１は、前例と同様にして横長帯状体１１の両端部に連結されている。
【００３３】
上記のような折り畳みタイプの本発明フェイスマスクは、不使用時において当該フェイスマスクを二つ折り状態にしておき、着用時において折り畳み状態にある横長帯状体１１やマスク体２１を屈伸部１２ａのところより展開状態して顔面Ｆに装着するものである。かかるマスク状態において、二つ折り状態を常態とするバネ性基材１２を備えた横長帯状体１１は、その折り畳み方向の力を発揮してヒトの頭部Ｈを挟み付ける。したがって、これがマスク保持力として機能するようになる。
【００３４】
本発明フェイスマスクを上記のような折り畳みタイプにするとき、マスク体２１を二枚のマスク部材２１ａに分割しないこともある。その場合は、マスク体２１のマスク正中線ＭＬ上に屈伸の容易な折り込み部が形成される。さらに横長帯状体１１については、上記の屈伸部１２ａに代え、軸ピンを支点に屈伸自在な周知のヒンジ部がその横長帯状体１１の中央部に設けられて折り畳み自在に構成されることがある。
【００３５】
本発明フェイスマスクにおいて、横長帯状体１１と二本の頭部用装着具３１とは、ヒンジやその他の連結構造を介さないで一体形成されることもある。これはすなわち、横長帯状体１１の両端部にそれぞれの頭部用装着具３１が連続するものである。このような実施形態のときのマスク体２１の上縁部は、横長帯状体１１だけでなく頭部用装着具３１にわたって取り付けられても構わない。この場合のマスク体取付手段も、既述の嵌め込み手段・接着手段・ビス止め手段などが任意に採用される。
【００３６】
本発明フェイスマスクについては、全体がプラスチックで一体形成されるという実施形態もある。この場合は、横長帯状体１１とマスク体２１と二本の頭部用装着具３１とが一体化されたものを注型法・圧縮法・トランスファー法・射出法など周知のプラスチック成形法で作製するというものである。この場合において、横長帯状体１１・マスク体２１・各頭部用装着具３１は一体的に連なるものであるが、たとえば横長帯状体１１に対して各頭部用装着具３１を折り畳み自在に設けたり、さらには横長帯状体１１やマスク体２１を既述のように折り畳み自在に設けたりすることは、プラスチックの材質を適宜選定することで自由に行える。また、横長帯状体１１や各頭部用装着具３１の内面に密接性や触感のよい内張り材を貼り付けることも自由に行える。
【産業上の利用可能性】
【００３７】
本発明に係るフェイスマスクは高度の顔面防護機能・構成の簡潔性・軽量化・良好な使用感・簡単な用法・低コストなどを満足させることのできる有用かつ有益なもので、とくに理美容の分野などで貢献するものである。しかも本発明に係るフェイスマスクは、プラスチック成形法やプラスチック加工法などを主体にして容易に作製することができる。したがって本発明に係るフェイスマスクは、産業上の利用可能性が高いものである。
【符号の説明】
【００３８】
１１    横長帯状体
１２    基材
１２ａ  屈伸部
１３    内張り材
１４    嵌め込み溝
１５    ヒンジ溝
１６    軸孔
１７    外張り材
２１    マスク体
２１ａ  マスク部材
２１ｂ  帯状片
２２    マスク体の上縁部
２３    通気部
３１    頭部用装着具
３２    ヒンジ片
３３    軸孔
３４    ヒンジ軸
Ｆ      ヒトの顔面
Ｉ      ヒトの目
Ｎ      ヒトの鼻
Ｍ      ヒトの口
Ｃ      人の顎
Ｙ      ヒトの耳
Ｈ      ヒトの頭部
Ｈ１    ヒトの前額
Ｈ２    ヒトの側頭部
ＦＬ    顔面正中線
ＭＬ    マスク正中線
ＨＣ    ヒトの前額中央部
ＳＣ    横長帯状体の内面中心部
θ      マスク傾斜角
【図１】
2010187880.tif 000003
【図２】
2010187880.tif 000004
【図３】
2010187880.tif 000005
【図４】
2010187880.tif 000006
【図５】
2010187880.tif 000007
【図６】
2010187880.tif 000008
【図７】
2010187880.tif 000009
【図８】
2010187880.tif 000010
【図９】
2010187880.tif 000011
【図１０】
2010187880.tif 000012